(57)【要約】【課題】  装置に新たな構成を追加することなく、起動時間を短縮するとともに、所望の記録媒体に簡単に画像を記録できるようにすること。【解決手段】  複数の記録媒体（２００、２１０）を装着可能な撮像装置（１００）において、前記複数の記録媒体のマウント処理にかかる時間をそれぞれ計測し（Ｓ１７、Ｓ２１、Ｓ２６、Ｓ３１、Ｓ３４）、計測されたマウント処理にかかる時間に基づいて、前記複数の記録媒体の内、最もマウント処理にかかる時間が短い第１の記録媒体を優先的にマウントするように制御する（Ｓ１４、Ｓ１６、Ｓ２０）。前記第１の記録媒体のマウント完了後、他の記録媒体のマウント完了の有無にかかわらず撮影可能状態に設定する（Ｓ２８）。【選択図】  図２
2007143065.tif 000002
【特許請求の範囲】
【請求項１】
複数の記録媒体を装着可能な撮像装置であって、
前記複数の記録媒体のマウント処理にかかる時間をそれぞれ計測する計測手段と、
前記計測手段によって計測されたマウント処理にかかる時間に基づいて、前記複数の記録媒体の内、最もマウント処理にかかる時間が短い第１の記録媒体を優先的にマウントするように制御するマウント制御手段と、
前記第１の記録媒体のマウント完了後、他の記録媒体のマウント完了の有無にかかわらず撮影可能状態に設定する制御手段と
を有することを特徴とする撮像装置。
【請求項２】
前記マウント制御手段は、前記複数の記録媒体を順にマウントするように制御することを特徴とする請求項１に記載の撮像装置。
【請求項３】
前記マウント制御手段は、前記複数の記録媒体のマウント処理を平行して行うことを特徴とする請求項１に記載の撮像装置。
【請求項４】
撮像手段により撮影された画像の前記複数の記録媒体への記録制御を行う記録制御手段を更に有し、
前記記録制御手段は、画像が撮影されたときに、予め指定された記録媒体がマウントされている場合には当該記録媒体に画像を記録し、予め指定された記録媒体がマウントされていない場合には、前記第１の記録媒体に記録することを特徴とする請求項１に記載の撮像装置。
【請求項５】
前記記録制御手段は、前記第１の記録媒体に画像を記録した場合に、前記予め指定された記録媒体がマウントされたときに、前記画像を前記予め指定された記録媒体に記録し、前記第１の記録媒体に記録された前記画像を削除することを特徴とする請求項４に記載の撮像装置。
【請求項６】
前記記録制御手段は、前記予め指定された記録媒体に記録できないと判断した場合に、前記予め指定された記録媒体への記録を行わず、警告処理を行うことを特徴とする請求項４又は５に記載の撮像装置。
【請求項７】
撮像手段により撮影された画像の前記複数の記録媒体への記録制御を行う記録制御手段を更に有し、
前記記録制御手段は、画像が撮影されたときに、前記複数の記録媒体の少なくとも２つがマウントされている場合に、当該記録媒体の少なくとも２つの記録媒体に画像を記録し、前記第１の記録媒体のみマウントされている場合には、前記第１の記録媒体に画像を記録することを特徴とする請求項１に記載の撮像装置。
【請求項８】
前記記録制御手段は、前記第１の記録媒体にのみ画像を記録した場合に、他の記録媒体がマウントされたときに、前記画像を新たにマウントされた記録媒体に記録することを特徴とする請求項７に記載の撮像装置。
【請求項９】
前記記録制御手段は、前記第１の記録媒体以外の記録媒体に記録できないと判断した場合に、警告処理を行うことを特徴とする請求項７又は８に記載の撮像装置。
【請求項１０】
前記計測手段によって計測されたマウント処理にかかる時間を記憶する記憶手段を更に有し、
前記マウント制御手段は、前記記憶手段に記憶されたマウント時間に基づいて、前記第１の記録媒体を決定することを特徴とする請求項１乃至９のいずれかに記載の撮像装置。
【請求項１１】
前記複数の記録媒体の取り外しを検知する取り外し検知手段を更に有し、
前記マウント制御手段は、前記複数の記録媒体のマウント処理前に前記取り外し検知手段が前記複数の記録媒体の少なくとも１つが取り外しされたことを検知した場合に、所定の順番で前記複数の記録媒体のマウント処理を行うように制御ことを特徴とする請求項２に記載の撮像装置。
【請求項１２】
前記複数の記録媒体の取り外しを検知する取り外し検知手段を更に有し、
前記マウント制御手段は、前記複数の記録媒体のマウント前に前記取り外し検知手段が前記複数の記録媒体の少なくとも１つが取り外しされたことを検知した場合に、所定の順番で前記複数の記録媒体のマウント処理を開始するように制御することを特徴とする請求項３に記載の撮像装置。
【請求項１３】
複数の記録媒体を装着可能な撮像装置の起動制御方法であって、
前記複数の記録媒体のマウント処理にかかる時間をそれぞれ計測する計測工程と、
前記計測工程で計測されたマウント処理にかかる時間に基づいて、前記複数の記録媒体の内、最もマウント処理にかかる時間が短い第１の記録媒体を優先的にマウントするようにマウント工程と、
前記第１の記録媒体のマウント完了後、他の記録媒体のマウント完了の有無にかかわらず撮影可能状態に設定する設定工程と
を有することを特徴とする起動制御方法。
【請求項１４】
コンピュータで実行可能なプログラムであって、
請求項１３に記載の起動制御方法を実現することを特徴とするプログラム。
【請求項１５】
請求項１４に記載のプログラムを記憶したことを特徴とする記憶媒体。
【発明の詳細な説明】
【技術分野】
【０００１】
本発明は、デジタルカメラ等の撮像装置及び当該撮像装置の起動制御方法に関するものである。
【背景技術】
【０００２】
従来、撮影した映像信号画像の量や撮影速度に応じて、デジタルカメラに接続された複数の記録媒体の１つを選択して記録するものが提案されている（例えば、特許文献１参照）。
【０００３】
また、異なる規格に基づいて構成される複数種類の取り外し可能なメモリカードを接続可能であって、１つのメモリカードを選択して読み書きする、若しくは１つのメモリカードの書き込み後に他のメモリカードへ書き込む撮像装置も提案されている（例えば、特許文献２参照）。
【０００４】
【特許文献１】特開平２−１４６８７４号公報
【特許文献２】特開平４−１５８６８６号公報
【発明の開示】
【発明が解決しようとする課題】
【０００５】
通常、デジタルカメラの起動時には、記録媒体をマウントするための処理を行う必要があり、近年では、これに要する時間がデジタルカメラの起動時間を大きく左右するようになっている。
【０００６】
特許文献１に記載の方法では、記録媒体の記録速度などに応じて記録する媒体を選択するが、記録速度と起動時に記録媒体をマウントするための時間は必ずしも一致しないため、記録速度などから、マウント時間を推測する事は必ずしもできなかった。そのため、記録速度は速いもののマウントに時間がかかる記録媒体がデジタルカメラに装着されている場合には、デジタルカメラの起動に時間がかかってしまい、シャッターチャンスを逃してしまうことがあるという問題があった。このような問題は、デジタルカメラに限らず、デジタルカメラとして動作することができる装置にも生じ得る問題である。
【０００７】
また、特許文献２では、内蔵メモリを増設可能にして、その内蔵メモリに画像を順次記録していくもので、取り外し可能な記録媒体に記録を行うものではなかった。
【０００８】
本発明は上記問題点を鑑みてなされたものであり、デジタルカメラ等の撮像装置に新たな構成を追加することなく、起動時間を短縮することを目的とする。また、所望の記録媒体に簡単に画像を記録できるようにすることを更なる目的とする。
【課題を解決するための手段】
【０００９】
上記目的を達成するために、本発明に係る撮像装置は、例えば、複数の記録媒体を装着可能な撮像装置であって、前記複数の記録媒体のマウント処理にかかる時間をそれぞれ計測する計測手段と、前記計測手段によって計測されたマウント処理にかかる時間に基づいて、前記複数の記録媒体の内、最もマウント処理にかかる時間が短い第１の記録媒体を優先的にマウントするように制御するマウント制御手段と、前記第１の記録媒体のマウント完了後、他の記録媒体のマウント完了の有無にかかわらず撮影可能状態に設定する制御手段とを有することを特徴とする。
【００１０】
また、上記目的を達成するために、本発明に係る撮像装置の起動制御方法は、例えば、複数の記録媒体を装着可能な撮像装置の起動制御方法であって、前記複数の記録媒体のマウント処理にかかる時間をそれぞれ計測する計測工程と、前記計測工程で計測されたマウント処理にかかる時間に基づいて、前記複数の記録媒体の内、最もマウント処理にかかる時間が短い第１の記録媒体を優先的にマウントするようにマウント工程と、前記第１の記録媒体のマウント完了後、他の記録媒体のマウント完了の有無にかかわらず撮影可能状態に設定する設定工程とを有することを特徴とする。
【発明の効果】
【００１１】
本発明によれば、装置に新たな構成を追加することなく、起動時間を短縮することができる。また、所望の記録媒体に簡単に画像を記録することが可能となる。
【発明を実施するための最良の形態】
【００１２】
以下、添付図面を参照して本発明を実施するための最良の形態を詳細に説明する。
【００１３】
＜第１の実施形態＞
図１は、本発明の第１の実施形態における撮像装置１００の主要な構成要素を示すブロック図である。本実施形態における撮像装置１００は、デジタルカメラに限るものではなく、デジタルカメラとして動作することができる装置であればどのような装置であってもよい。例えば、デジタルビデオカメラ、デジタルカメラ付き携帯電話などを撮像装置１００として構成することもできる。
【００１４】
図１において、１０はレンズ部、１２は絞り機能を備えるシャッター、１４は光学像を電気信号に変換する撮像素子、１６は撮像素子１４のアナログ信号出力をディジタル信号に変換するＡ／Ｄ変換器である。なお、撮像素子１４には、ＣＣＤセンサ、ＣＭＯＳイメージセンサ等のイメージセンサを用いることができる。
【００１５】
１８は撮像素子１４、Ａ／Ｄ変換器１６、Ｄ／Ａ変換器２６にそれぞれクロック信号や制御信号を供給するタイミング発生部であり、メモリ制御部２２及びシステム制御部５０により制御される。
【００１６】
２０は画像処理部であり、Ａ／Ｄ変換器１６からの画像データ或いはメモリ制御部２２からの画像データに対して所定の画素補間処理や色変換処理を行う。また、画像処理部２０は、Ａ／Ｄ変換器１６から出力される画像データを用いて所定の演算処理を行い、得られた演算結果に基づいてシステム制御部５０が以下の処理を行う。ＴＴＬ（スルー・ザ・レンズ）方式のオートフォーカス（ＡＦ）処理、自動露出（ＡＥ）処理、フラッシュプリ発光（ＥＦ）処理。さらに、画像処理部２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００１７】
２２はメモリ制御部であり、Ａ／Ｄ変換器１６、タイミング発生部１８、画像処理部２０、画像表示メモリ２４、Ｄ／Ａ変換器２６、メモリ３０、圧縮伸長部３２を制御する。Ａ／Ｄ変換器１６から出力される画像データは、画像処理部２０、メモリ制御部２２を介して、或いはメモリ制御部２２のみを介して、画像表示メモリ２４或いはメモリ３０に書き込まれる。
【００１８】
２４は画像表示メモリ、２６はＤ／Ａ変換器、２８はＴＦＴＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８は、システム制御部５０の指示により任意に表示をＯＮ／ＯＦＦすることが可能であり、表示をＯＦＦにした場合には撮像装置１００の電力消費を大幅に低減することができる。
【００１９】
３０は撮影した静止画像や動画像を格納するためのメモリであり、所定枚数の静止画像や所定時間の動画像を格納するのに充分な記憶容量を備えている。これにより、複数枚の静止画像を連続して撮影する連射撮影やパノラマ撮影の場合にも、高速かつ大量の画像をメモリ３０に書き込むことができる。また、メモリ３０はシステム制御部５０の作業領域としても使用することが可能である。
【００２０】
３２は適応離散コサイン変換（ＡＤＣＴ）等により画像データを圧縮・伸長する圧縮伸長部であり、メモリ３０に格納された画像を読み込んで圧縮処理或いは伸長処理を行い、処理を終えたデータが再びメモリ３０に書き込まれる。
【００２１】
５０は撮像装置１００全体を制御するシステム制御部である。５２はシステム制御部５０の動作用の定数、変数、プログラム等を記憶するメモリである。
【００２２】
５４はシステム制御部５０でのプログラムの実行に応じて、文字、画像、音声等を用いて動作状態やメッセージ等を外部に通知するための通知部であり、例えばＬＣＤやＬＥＤ等による視覚的な表示を行う表示部や、音声による通知を行う発音素子などが用いられる。これらの内１つ以上の組み合わせにより構成される。特に、表示部の場合には、撮像装置１００の操作部７０近辺の視認し易い、単数或いは複数個所設置されている。また、通知部５４は、その一部の機能が光学ファインダー１０４内に設置されている。
【００２３】
通知部５４の通知内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示がある。他に、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付／時刻表示等がある。
【００２４】
また、通知部５４の通知内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示等がある。
【００２５】
さらに、通知部５４の通知内容のうち、ＬＥＤ等により表示するものとしては、例えば、以下のものがある。合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示等。
【００２６】
そして、通知部５４の通知内容のうち、ランプ等により通知するものとしては、例えば、セルフタイマー通知ランプ等がある。このセルフタイマー通知ランプは、ＡＦ補助光と共用して用いても良い。
【００２７】
５６は電気的にデータを消去することができる不揮発性メモリであり、例えばＥＥＰＲＯＭ等が用いられる。
【００２８】
６０、６２、６４、６６、６８及び７０は、システム制御部５０の各種の動作指示を入力するための操作手段であり、スイッチやダイアル、タッチパネル、視線検知によるポインティング、音声認識装置等の単数或いは複数の組み合わせで構成される。
【００２９】
ここで、これらの操作手段の具体的な説明を行う。
【００３０】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することができる。
【００３１】
シャッターボタン６２はシャッタースイッチＳＷ１とシャッタースイッチＳＷ２を有する。シャッターボタン６２を半押しにすると、シャッタースイッチＳＷ１がＯＮとなる。シャッタースイッチＳＷ１がＯＮにされると、システム制御部５０は、ＡＦ処理、ＡＥ処理、ＡＷＢ処理、ＥＦ処理等を開始する。
【００３２】
シャッターボタン６２を全押しにすると、シャッタースイッチＳＷ２がＯＮとなる。シャッタースイッチＳＷ２がＯＮとなると、システム制御部５０は、撮像素子１４から読み出した信号を画像データに変換する。そして、当該画像データを記録媒体２００及び／又は２１０に記録する処理を開始する。
【００３３】
６６は画像表示ＯＮ／ＯＦＦスイッチで、画像表示部２８のＯＮ／ＯＦＦを設定することができる。この機能により、光学ファインダー１０４を用いて撮影を行う際に、ＴＦＴＬＣＤ等から成る画像表示部２８への電流供給を遮断する。これにより、省電力を図ることが可能となる。
【００３４】
６８はクイックレビューＯＮ／ＯＦＦスイッチで、撮影直後に撮影した画像データを自動再生するクイックレビュー機能を設定する。尚、本実施形態では特に、画像表示部２８をＯＦＦとした場合におけるクイックレビュー機能の設定をする機能を備えるものとする。
【００３５】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタンがある。また、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００３６】
９０及び９４はメモリカードやハードディスク等の記録媒体とのインターフェースである。９２及び９６はメモリカードやハードディスク等の記録媒体を接続するためのコネクタである。９８はコネクタ９２に記録媒体２００が装着されているか否かを検知し、コネクタ９６に記録媒体２１０が装着されているか否かを検知する記録媒体検知部である。
【００３７】
なお、図１に示す例では、記録媒体を取り付けるインターフェース及びコネクタを２系統持つものとして説明しているが、３系統以上を備える構成としても構わない。
【００３８】
インターフェース及びコネクタとしては、ＰＣＭＣＩＡ（Personal Computer Memory Card International Association）カード、コンパクトフラッシュ（登録商標）がある。他に、ＳＤメモリカード、マイクロドライブ等に準拠したものを用いて構成することが可能である。
【００３９】
１０４は光学ファインダーであり、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッタースピード、絞り値、露出補正などが表示される。
【００４０】
１１０はネットワークインターフェースで、ＲＳ２３２Ｃ、ＵＳＢ（Universal Serial Bus）、ＩＥＥＥ１３９４、Ｐ１２８４、ＳＣＳＩ、無線ＬＡＮ等を介して他の装置と通信する機能を有する。
【００４１】
１１２はネットワークインターフェース１１０が有線通信を行う場合はコネクタであり、ネットワークインターフェース１１０が無線通信を行う場合はアンテナである。
【００４２】
２００及び２１０は、不揮発性の記録媒体であり、撮像装置１００から取り外し可能である。記録媒体２００及び２１０は、ＰＣＭＣＩＡカード、コンパクトフラッシュ（登録商標）、ＳＤメモリカード等のメモリカードであっても、マイクロドライブ等のハードディスクであってもよい。もちろん、ＣＤ、ＤＶＤ等の光ディスクでもよい。また、記録媒体２００及び２１０は、メモリカードとハードディスク等が一体となった複合記録媒体であってもよい。記録媒体２００はコネクタ９２と接続するためのコネクタ２０６を有し、記録媒体２１０はコネクタ９６と接続するためのコネクタ２１６を有する。
【００４３】
次に、上記構成を有する撮像装置１００における起動動作について説明する。
【００４４】
通常、撮像装置１００では、電源オフ状態のときには、省電力のため記録媒体２００、２１０への電源供給を遮断している。そのため、電源をオンしたときに記録媒体２００、２１０への電源供給を開始し、装填されている記録媒体を認識し、操作可能にするためのマウント動作を行う必要がある。
【００４５】
第１の実施形態では、説明をわかりやすくするために、複数の記録媒体としてＳＤメモリカードとマイクロドライブ（ＭＤ）の２種類の異なる記録媒体を用いた場合について説明する。もちろん、本実施形態は、ＳＤメモリカードとマイクロドライブのみからなる構成に限られるものではなく、別の記録媒体を用いたり、３種類以上の記録媒体を用いたりしてもよい。また、同一種類の複数の記録媒体を用いたりすることも可能である。同一種類の記録媒体でも、使用状況によっては、マウント処理に要する時間が異なる場合もあるからである。
【００４６】
図２は、本発明の第１の実施形態における撮像装置１００の起動シーケンスを説明するためのフローチャートである。なお、以下の図２から図５を用いて説明する処理は、システム制御部５０がメモリ５２に記憶されたプログラム等に従って制御するものとする。
【００４７】
撮像装置１００の電源がオンされると、図２の起動シーケンスが開始される。ステップＳ１１ではシステムの初期化を行い、ステップＳ１２ではインターフェース９０、９４を含むＩ／Ｏの初期化を行う。ステップＳ１３では、撮像装置１００の電源がオフにされてからステップＳ１２の処理が完了するまでの間に、記録媒体２００、２１０のそれぞれについて取り外しが行われたか否かをチェックする。取り外しが行われたか否かのチェックは、不揮発性メモリ５６が記憶する取り外し履歴を確認することにより行う。記録媒体検知部９８は、記録媒体２００、２１０のそれぞれの取り外しを検知するごとに不揮発性メモリ５６に取り外し履歴を記憶する。記録媒体２００、２１０のそれぞれが取り外されたか否かの検知は、撮像装置１００の電源をオフにしている間も記録媒体検知部９８で行うようにする。なお、後述するが、取り外し履歴は撮像装置１００の起動が完了するごとにクリアされる。
【００４８】
ステップＳ１３で、記録媒体２００、２１０の少なくとも一つが取り外された場合にはステップＳ２２に進み、優先的に画像データの記録を行う記録媒体（以下、「主記録媒体」と呼ぶ。）として、ＳＤメモリカードとマイクロドライブのいずれに設定されているかをチェックする。ＳＤメモリカードに設定されている場合には、ステップＳ２３に進んでＳＤメモリカードのマウント処理を行うと共に、ステップＳ２４でＳＤメモリカードのマウント処理に要した時間を不揮発性メモリ５６に記憶する。なお、マウント処理にかかる時間は、撮像装置１００の内部タイマにより計測する。一方、マイクロドライブに設定されている場合は、ステップＳ２５に進んでマイクロドライブのマウント処理を行うと共に、ステップＳ２６でマイクロドライブのマウント処理に要した時間を不揮発性メモリ５６に記憶する。
【００４９】
マウント処理が終了すると、ステップＳ２７において、新しく撮影した画像を保存するためのユニークなファイル番号を生成するために、マウント完了した記録媒体に記録されているファイル番号を確認し、ファイル番号を決定する。その後ステップＳ２８で撮像装置１００を撮影可能状態とする。
【００５０】
一方、ステップＳ１３で、起動前に記録媒体２００、２１０の何れも取り外されていないと判定された場合はステップＳ１４に進む。不揮発性メモリ５６に記憶しているＳＤメモリカードとマイクロドライブのマウント処理にかかる時間の比較を行い、マウント処理にかかる時間が短い方の記録媒体を選択する。
【００５１】
ステップＳ１４では、ＳＤメモリカードのマウント処理にかかる時間の方が短い場合にはステップＳ１５に進む。ステップＳ１５では、前回撮像装置１００の電源をオフしたときに記憶しておいたＳＤメモリカードの残容量が十分であるか否かと、ＳＤメモリカードが主記録媒体に設定されているか否かのチェックを行う。そして、ＳＤメモリカードの残容量が十分でないと判定され、ＳＤメモリカードが主記録媒体に設定されていないと判定された場合はステップＳ２０に進み、それ以外の場合はステップＳ１６に進む。ステップＳ１６では、ＳＤメモリカードのマウント処理を行う。ステップＳ１７では、ＳＤメモリカードのマウント処理に要した時間を不揮発性メモリ５６に記憶する。ステップＳ２０では、マイクロドライブのマウント処理を行う。ステップＳ２１では、マイクロドライブのマウント処理にかかった時間を不揮発性メモリ５６に記憶する。
【００５２】
一方、ステップＳ１４では、マイクロドライブのマウント時間の方が短い場合にはステップＳ１９に進む。ステップＳ１９では、前回撮像装置１００の電源をオフしたときに記憶しておいたマイクロドライブの残容量が十分であるか否かと、マイクロドライブが主記録媒体に設定されているか否かのチェックを行う。そして、マイクロドライブの残容量が十分でないと判定され、マイクロドライブが主記録媒体に設定されていないと判定された場合はステップＳ１６に進み、それ以外の場合はステップＳ２０に進む。ステップＳ２０では、マイクロドライブのマウントを行う。ステップＳ２１では、マイクロドライブのマウント処理に要した時間を不揮発性メモリ５６に記憶する。ステップＳ１６では、ＳＤメモリカードのマウントを行う。ステップＳ１７では、ＳＤメモリカードのマウント処理にかかった時間を不揮発性メモリ５６に記憶する。
【００５３】
マウント完了後、ステップＳ１８において、予め、不揮発性メモリ５６に記憶してあるファイル番号を新たに撮影した画像を保存するためのユニークなファイル番号として決定し、ステップＳ２８で撮像装置１００を撮影可能状態とする。ステップＳ２８で撮像装置１００が撮影可能状態となった後は、シャッターボタン６２に対する操作を受け付ける。そして、シャッタースイッチＳＷ２がＯＮにされると、システム制御部５０は、撮影画像の記録を開始する。
【００５４】
次に、ステップＳ２９で、ＳＤメモリカード又はマイクロドライブのいずれかがまだマウントされていないかどうかをチェックして、マイクロドライブがマウントされていなければ、ステップＳ３０に進んでマイクロドライブのマウント処理を行う。それと共に、ステップＳ３１でマイクロドライブのマウントに要した時間を記憶する。また、ステップＳ２９でＳＤメモリカードがマウントされていなければ、ステップＳ３３に進んでＳＤメモリカードのマウント処理を行うと共に、ステップＳ３４でＳＤメモリカードのマウントに要した時間を記憶する。
【００５５】
全ての記録媒体のマウントが終了すると、ステップＳ３２で不揮発性メモリ５６に記憶されている記録媒体の取り外し履歴をクリアして、起動シーケンスが完了となる。
【００５６】
上述の通り、第１の実施形態によれば、起動前に記録媒体の取り外しが行われていなければ、主記録媒体としてＳＤメモリカードとマイクロドライブのいずれを設定しているかに関わらず、マウント処理に時間がかからない方の記録媒体を先にマウントする。いずれかの記録媒体のマウントが終了するとすぐに撮影可能とするため、撮像装置１００の電源をオンしてから撮影可能となるまでの時間を短縮することが可能となる。
【００５７】
次に、図２のステップＳ２８で撮影可能状態になった後、撮影指示が入力された場合の第１の実施形態における処理について、図３のフローチャートを参照して説明する。
【００５８】
ステップＳ２８で撮影可能状態となると、シャッターボタン６２の状態を定期的にチェックする。ユーザによりシャッターボタン６２が半押し（ＳＷ１がＯＮ）にされると、撮影処理を開始する。まず、ステップＳ４１で測光処理、続いてステップＳ４２で測距処理を行い、ステップＳ４３に進む。
【００５９】
ステップＳ４３で再びシャッターボタン６２の状態を確認し、ＳＷ１がＯＦＦであれば撮影処理を終了する。ＳＷ１がＯＮであればステップＳ４４でシャッターボタン６２が全押し（ＳＷ２がＯＮ）にされているかどうかを確認する。ＳＷ２がＯＦＦであればステップＳ４３に戻り、ＳＷ２がＯＮであればステップＳ４５に進む。
【００６０】
ステップＳ４５では、撮像素子１４を所定時間露光し、露光終了後にステップＳ４６で撮像素子１４に蓄積された電荷（画像信号）を、Ａ／Ｄ変換器１６でＡ／Ｄ変換しながらメモリ３０に読み出す。そして、ステップＳ４７でメモリ３０に記憶された画像信号に対して画像処理部２０により所定の画像処理を行う。更に、圧縮伸長部３２により圧縮処理を行ってから、ステップＳ４８で記録媒体２００または２１０（ここでは、ＳＤメモリカード又はマイクロドライブ）に圧縮した画像データを記録する。そして、ステップＳ４９でＳＷ１及びＳＷ２がＯＦＦにされるのを待って撮影終了となる。なお、画像処理部２０により画像処理及び圧縮伸長部３２による圧縮処理を行わずに、メモリ３０に記憶した画像信号をそのまま記録してもよい。
【００６１】
次に、図３のステップＳ４８で行われる第１の実施形態における記録処理について、図４のフローチャートを参照して説明する。
【００６２】
ステップＳ５１で、主記録媒体がマウント済みかどうかを判断し、マウントされていればステップＳ５２で主記録媒体に画像データを記録する。マウントされていなければステップＳ５３で主記録媒体以外のマウント済みの記録媒体（以下、「副記録媒体」と呼ぶ。）に画像データを記録し、処理を終了する。
【００６３】
第１の実施形態においては、上記記録処理中に主記録媒体がマウントされておらず、ステップＳ５３で副記録媒体に記録した場合には、図５に示す画像データの移動処理を行う。
【００６４】
まず、ステップＳ６１において主記録媒体のマウント処理が完了したかどうかをチェックし、完了すると、ステップＳ６２で主記録媒体に記録可能かどうか確認する。記録可能である場合には、ステップＳ６３に進んでステップＳ５３で記録した画像データを主記録媒体に記録し、ステップＳ６４で副記録媒体からステップＳ５３で記録した画像データを削除して処理を終了する。
【００６５】
また、マウントが完了せず（ステップＳ６１でＮＯ）、マウントに失敗した場合（ステップＳ６５でＹＥＳ）は、ステップＳ６６で画像転送できない旨の警告表示を行って、処理を終了する。また、及びステップＳ６２で、書き込み禁止、または、画像転送するのに十分な容量が無い場合など、主記録媒体に記録できない場合にも、ステップＳ６６で画像転送できない旨の警告表示を行って、処理を終了する。
【００６６】
このように、主記録媒体がマウント完了する前に撮影が行われた場合に副記録媒体に記録しておいた画像データを、主記録媒体のマウント後に自動的に移動する。そのため、ユーザは画像データの移動処理などの操作を行う必要が無く、予め設定された主記録媒体に画像データを記録することが可能となる。
【００６７】
図６は、第１の実施形態の特徴である、主記録媒体のマウント処理にかかる時間が副記録媒体よりも長い場合の、撮像装置１００の電源がオンされてからの起動時間を示す図である。図６（ａ）は、従来例及び、第１の実施形態において起動前に記録媒体の取り外しが行われた場合を示し、図６（ｂ）は、第１の実施形態において起動前に記録媒体の取り外しが行われなかった場合を示している。
【００６８】
図６（ｂ）に示すように、起動前に記録媒体の取り外しが行われていなければ、マウント処理にかかる時間が短い副記録媒体から先にマウント処理を行うため、電源オンしてから起動完了する前の時間が図６（ａ）に示す場合と比べて短くなることが分かる。
【００６９】
上記の通り第１の実施形態によれば、起動前に記録媒体の取り外しが行われていなければ、マウント処理に時間がかからない記録媒体のマウント処理を先に行うため、電源オンしてから撮影可能状態（起動完了）となるまでの起動時間を短縮することが可能となる。また、主記録媒体のマウントが完了する前に撮影が行われた場合には一旦マウント済みの記録媒体に画像データを保存し、主記録媒体のマウントが完了してから該画像データを主記録媒体に自動的に移動する。従って、特別な装置や部材を追加することなく、また、ユーザの手間をかけずに、予め設定した主記憶媒体に画像データを記録することができる。
【００７０】
＜第２の実施形態＞
次に、本発明の第１の実施形態の変形例である第２の実施形態について説明する。
【００７１】
第２の実施形態は、第１の実施形態の変形例であるので、第１の実施形態と同様の構成についてはその説明を省略する。特に、第２の実施形態で用いる撮像装置は、第１の実施形態で説明した撮像装置１００と同様であるのでここでは説明を省略する。
【００７２】
図７は、本発明の第２の実施形態における撮像装置１００の起動シーケンスを説明するためのフローチャートである。第２の実施形態では、バックアップモードで起動する場合を説明する。バックアップモードとは、撮像装置１００に装着された２つの記録媒体に同じ撮影画像を記録する記録モードのことをいうものとする。なお、以下の図７から図９を用いて説明する処理は、システム制御部５０がメモリ５２に記憶されたプログラム等に従って制御するものとする。
【００７３】
第２の実施形態においても、複数の記録媒体として、ＳＤメモリカードとマイクロドライブの２種類の異なる記録媒体として用いた場合について説明する。もちろん、本実施形態は、ＳＤメモリカードとマイクロドライブのみからなる構成に限られるものではなく、別の記録媒体を用いたり、３種類以上の記録媒体を用いたりすることも可能である。また、同一種類の複数の記録媒体を用いることも可能である。
【００７４】
撮像装置１００の電源がオンされると、図７の起動シーケンスが開始される。ステップＳ７１ではシステムの初期化を行い、ステップＳ７２ではインターフェース９０、９４を含むＩ／Ｏの初期化を行う。ステップＳ７３では、ステップＳ１３と同様に、記録媒体２００、２１０のそれぞれについての取り外しをチェックする。
【００７５】
ステップＳ７３で、記録媒体２００、２１０の少なくとも一つが取り外されていた場合にはステップＳ８５に進んで、マイクロドライブのマウント処理を開始し、更にステップＳ８６でＳＤメモリカードのマウント処理を開始する。なお、マイクロドライブとＳＤメモリカードのマウント処理の開始順はこれに限るものではなく、逆であっても、同時であってもよい。
【００７６】
ステップＳ８７でＳＤメモリカードとマイクロドライブの両方のマウント処理が完了するのを待ち、マウント処理が完了すると、ステップＳ８８でそれぞれのマウント処理に要した時間を不揮発性メモリ５６に記憶しておく。
【００７７】
ステップＳ８９では、新しく撮影した画像を保存するためのユニークなファイル番号を生成するために、マウント完了した記録媒体に記録されているファイル番号を確認し、ファイル番号を決定し、その後ステップＳ９０で撮像装置１００を撮影可能状態とする。
【００７８】
一方、ステップＳ７３で、起動前に記録媒体２００、２１０の何れも取り外されていないと判定された場合はステップＳ７４に進む。不揮発性メモリ５６に記憶しているＳＤメモリカードとマイクロドライブのマウント処理にかかる時間の比較を行い、マウント処理にかかる時間の短い方の記録媒体を選択する。
【００７９】
ＳＤメモリカードのマウント処理にかかる時間が短い場合には、ステップＳ７７に進んでＳＤメモリカードのマウント処理に必要な準備をしてＳＤメモリカードのマウントを開始する。続いて、ステップＳ７８でマイクロドライブのマウント処理に必要な準備をしてマイクロドライブのマウントを開始する。
【００８０】
また、ステップＳ７４でマイクロドライブのマウント処理にかかる時間が短い場合には、逆の順番でマウント処理の準備してマウントを開始する。即ち、ステップＳ７５に進んでマイクロドライブのマウント処理に必要な準備をしてマイクロドライブのマウントを開始し、続いて、ステップＳ７６でＳＤメモリカードのマウント処理に必要な準備をしてＳＤメモリカードのマウントを開始する。これは、マウント処理にかかる時間が短い方を先にマウント処理開始することで、できるだけ早くマウント処理を完了させるためである。
【００８１】
ステップＳ７９ではマウント処理の完了を待ち、１つでもマウント処理が完了すると、ステップＳ８０でマウント処理の完了した記録媒体のマウント時間を不揮発性メモリ５６に記憶する。次に、ステップＳ８１で不揮発性メモリ５６に記憶してあるファイル番号を新たに撮影した画像を保存するためのユニークがファイル番号として、ステップＳ８２に進み、撮像装置１００を撮影可能状態とする。ステップＳ８２で撮影可能状態となった後は、シャッターボタン６２に対する操作を受け付ける。そして、シャッタースイッチＳＷ２がＯＮにされると、システム制御部５０は、撮影画像の記録を開始する。
【００８２】
次に、ステップＳ８３でマウントが完了していない記録媒体のマウント処理の完了を待ち、マウント処理が完了したらステップＳ８４でその時間を不揮発性メモリ５６に記憶する。
【００８３】
ステップＳ８４及びステップＳ９０の処理後、ステップＳ９１で不揮発性メモリ５６に記憶されている記録媒体の取り外し履歴をクリアし、起動シーケンスが完了となる。
【００８４】
なお、撮影可能状態になった後にシャッタースイッチの操作により撮影指示が入力されると、第１の実施形態で図３を参照して説明した処理を行う。
【００８５】
ただし、第２の実施形態ではバックアップモードであるので、図３のステップＳ４８で行われる記録動作が第１の実施形態で図４を参照して説明した処理と異なる。以下、第２の実施形態における記録処理について、図８のフローチャートを参照して説明する。
【００８６】
まず、ステップＳ１０１でＳＤメモリカードとマイクロドライブが共にマウント済みであるかどうかを判断し、共にマウント済みであれば、ＳＤメモリカードとマイクロドライブの両方に画像データを記録する。一方、いずれか一方しかマウント済みでなければ、マウント済みの記録媒体に画像データを記録して、処理を終了する。
【００８７】
第２の実施形態においては、上記記録処理中にＳＤメモリカードとマイクロドライブのいずれか一方だけに画像データを記録した場合には、図９に示す画像データのバックアップ処理を行う。
【００８８】
まず、ステップＳ１１１において、全ての記録媒体のマウント処理が終了したかどうかをチェックし、完了すると、ステップＳ１１２で新たにマウントされた記録媒体に記録可能かどうか確認する。記録可能である場合には、ステップＳ１１３に進んでステップＳ１０３で記録した画像データを主記録媒体に記録し、処理を終了する。
【００８９】
また、全ての記録媒体のマウントが完了せず（ステップＳ１１１でＮＯ）、マウントに失敗した場合（ステップＳ１１４でＹＥＳ）、ステップＳ１１５で画像転送できない旨の警告表示を行って、処理を終了する。また、ステップＳ１１２で、書き込み禁止、または、画像転送するのに十分な容量が無い場合など、新たにマウントされた記録媒体に記録できない場合にも、ステップＳ１１５で画像転送できない旨の警告表示を行って、処理を終了する。
【００９０】
このように、全ての記録媒体がマウント完了する前に撮影が行われた場合にマウント済みの記録媒体に記録しておいた画像データを、後からマウントされた記録媒体に自動的にコピーする。従って、ユーザは画像データのバックアップ処理などの操作を行う必要が無く、複数の記録媒体に画像データを記録することが可能となる。
【００９１】
図１０（ａ）は、従来例及び、第２の実施形態において起動前に記録媒体の取り外しが行われた場合の撮像装置１００の電源がオンされてからの起動時間を示している。図１０（ｂ）は、第２の実施形態において起動前に記録媒体の取り外しが行われなかった場合の起動時間を示している。
【００９２】
図１０（ｂ）に示すように、起動前に記録媒体の取り外しが行われていなければ、電源オンしてから起動完了する前の時間が図１０（ａ）に示す場合と比べて短くなることが分かる。これは、ＳＤメモリカードとマイクロドライブのいずれか一方のマウントが完了するとすぐに撮影可能状態（起動完了）となるためである。図１０に示す例では、ＳＤメモリカードのマウント処理にかかる時間がマイクロドライブのマウント処理にかかる時間よりも短いため、ＳＤメモリカードのマウントが先に完了する。
【００９３】
上記の通り第２の実施形態によれば、起動前に記録媒体の取り外しが行われていなければ、複数の記録媒体のマウント処理が１つでも完了すればすぐに撮影可能状態（起動完了）にする。従って、電源オンしてから撮影可能状態（起動完了）となるまでの起動時間を短縮することが可能となる。また、複数の記録媒体のマウントが完了する前に撮影が行われた場合には、マウント済みの記録媒体に画像データを保存し、他の記録媒体のマウントが完了してから該画像データを新たにマウントされた記録媒体に自動的にコピーする。そのため、特別な装置や部材を追加することなく、また、ユーザの手間をかけずに、複数の記憶媒体に画像データを記録することができる。
【００９４】
なお、上記第１及び第２の実施形態においては、ＳＤメモリカードとマイクロドライブの２種類の記録媒体を用いる場合について説明したが、本発明はこれに限るものではない。これら以外の種類の記録媒体を用いても、３種類以上の記録媒体を用いても構わない。３種類以上の記録媒体を用いた場合には、記録媒体の中で最もマウント処理に時間がかからない記録媒体を優先的にマウントするようにすればよい。
【００９５】
＜他の実施形態＞
前述の実施形態は、次のようにして実現することもできる。まず、前述の実施形態の機能を実現するプログラムを記録した記憶媒体（または記録媒体）を、システムあるいは装置に供給する。そして、そのシステムあるいは装置のコンピュータ（またはＣＰＵやＭＰＵ）が記憶媒体に格納された当該プログラムを読み出し実行する。また、コンピュータが読み出した当該プログラムを実行することにより、前述の実施形態の機能が実現されるだけでない。更に、そのプログラムの指示に基づき、コンピュータ上で稼働しているオペレーティングシステム（ＯＳ）などが実際の処理の一部または全部を行い、その処理によって前述の実施形態の機能が実現される場合も含まれることは言うまでもない。ここで、当該プログラムを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、当該プログラムを供給するために用いることができる。
【００９６】
さらに、記憶媒体から読み出された当該プログラムが、コンピュータに挿入された機能拡張カードやコンピュータに接続された機能拡張ユニットに備わるメモリに書き込まれる。その後、当該プログラムの指示に基づき、その機能拡張カードや機能拡張ユニットに備わるＣＰＵなどが実際の処理の一部または全部を行い、その処理によって前述の実施形態の機能が実現される場合も含まれることは言うまでもない。
【図面の簡単な説明】
【００９７】
【図１】本発明の第１の実施形態における撮像装置の主要な構成要素を示すブロック図である。
【図２】本発明の第１の実施形態における撮像装置の起動シーケンスのフローチャートである。
【図３】本発明の第１の実施形態における撮影処理を示すフローチャートである。
【図４】本発明の第１の実施形態における記録処理を示すフローチャートである。
【図５】本発明の第１の実施形態における画像データの移動処理を示すフローチャートである。
【図６】本発明の第１の実施形態における起動時間を説明する図である。
【図７】本発明の第２の実施形態における撮像装置の起動シーケンスのフローチャートである。
【図８】本発明の第２の実施形態における記録処理を示すフローチャートである。
【図９】本発明の第２の実施形態における画像データの転送処理を示すフローチャートである。
【図１０】本発明の第２の実施形態における起動時間を説明する図である。
【符号の説明】
【００９８】
１０：レンズ部、１２：シャッター、１４：撮像素子、１６：Ａ／Ｄ変換器、１８：タイミング発生部、２０：画像処理部、２２：メモリ制御部、２４：画像表示メモリ、２６：Ｄ／Ａ変換器、２８：画像表示部、３０：メモリ、３２：圧縮伸長部、５０：システム制御部、５２：メモリ、５４：通知部、５６：不揮発性メモリ、６０：モードダイアルスイッチ、６２：シャッターボタン、６６：画像表示ＯＮ／ＯＦＦスイッチ、６８：クイックレビューＯＮ／ＯＦＦスイッチ、７０：操作部、９０、９４：インターフェース、９２、９６：コネクタ、９８：記録媒体検知部、１００：撮像装置、１０４：光学ファインダー、１１０：ネットワークインターフェース、１１２：コネクタ（またはアンテナ）、２００、２１０：記録媒体、２０６、２１６：コネクタ
【図１】
2007143065.tif 000003
【図２】
2007143065.tif 000004
【図３】
2007143065.tif 000005
【図４】
2007143065.tif 000006
【図５】
2007143065.tif 000007
【図６】
2007143065.tif 000008
【図７】
2007143065.tif 000009
【図８】
2007143065.tif 000010
【図９】
2007143065.tif 000011
【図１０】
2007143065.tif 000012